(57)【要約】【課題】テレビジョン放送に含まれるコマーシャルを確実に検出する。【解決手段】チャプター候補点検出部４５は、無音検出部４３による検出の結果と、シーンチェンジ検出部４１による検出の結果および黒画検出部４２による検出の結果の少なくとも一方とに基づいて、ＣＭの再生開始時刻または再生終了時刻を表すチャプター点の候補となるチャプター候補点を検出する。チャプター点決定部４６は、チャプター候補点に基づいて、チャプター候補点間のテレビジョン放送が、ＣＭであるか、または、番組であるかを判定し、チャプター候補点のうち、ＣＭまたは番組の一方から他方へ変化する再生時刻を表すチャプター候補点を、チャプター点として決定する。本発明は、例えば、録画装置に適用することができる。【選択図】図２
2008277967.tif 000002
【特許請求の範囲】
【請求項１】
テレビジョン放送に含まれるコマーシャルを検出する情報処理装置において、
前記テレビジョン放送の無音区間を検出する無音区間検出手段と、
前記テレビジョン放送の映像のシーンチェンジを検出するシーンチェンジ検出手段と、
前記テレビジョン放送の映像が黒画またはブルー画であることを検出する黒画ブルー画検出手段と、
前記無音区間検出手段による検出の結果と、前記シーンチェンジ検出手段による検出の結果および前記黒画ブルー画検出手段による検出の結果の少なくとも一方とに基づいて、前記コマーシャルの再生開始時刻または再生終了時刻を表すチャプター点の候補となるチャプター候補点を検出するチャプター候補点検出手段と、
前記チャプター候補点に基づいて、前記チャプター候補点間のテレビジョン放送が、前記コマーシャルであるか、または、番組であるかを判定し、前記チャプター候補点のうち、前記コマーシャルまたは前記番組の一方から他方へ変化する再生時刻を表すチャプター候補点を、前記チャプター点として決定する決定手段と
を備える情報処理装置。
【請求項２】
前記チャプター候補点検出手段は、前記無音区間内であり、かつ、前記シーンチェンジが検出された再生時刻を、前記チャプター候補点として検出する
請求項１に記載の情報処理装置。
【請求項３】
前記チャプター候補点検出手段は、１つの前記無音区間内に、前記シーンチェンジが検出された再生時刻が複数ある場合、その複数の再生時刻のうちの１つの再生時刻を、前記チャプター候補点として検出する
請求項２に記載の情報処理装置。
【請求項４】
前記チャプター候補点検出手段は、前記無音区間内であり、かつ、前記黒画または前記ブルー画が検出された再生時刻を、前記チャプター候補点として検出する
請求項１に記載の情報処理装置。
【請求項５】
前記チャプター候補点検出手段は、１つの前記無音区間内に、前記黒画または前記ブルー画が検出された再生時刻が複数ある場合、その複数の再生時刻のうちの１つの再生時刻を、前記チャプター候補点として検出する
請求項４に記載の情報処理装置。
【請求項６】
前記チャプター候補点検出手段は、さらに、前記無音区間内であり、かつ、前記シーンチェンジが検出された再生時刻を、前記チャプター候補点として検出する
請求項４に記載の情報処理装置。
【請求項７】
前記チャプター候補点検出手段は、１つの無音区間の間に、前記黒画または前記ブルー画が検出された再生時刻もしくは前記シーンチェンジが検出された再生時刻が複数ある場合、その複数の再生時刻のうちの１つの再生時刻を、前記チャプター候補点として検出する
請求項６に記載の情報処理装置。
【請求項８】
前記決定手段は、前記チャプター候補点間の時間が、所定の時間より長い場合、そのチャプター候補点間のテレビジョン放送が前記番組であると判定し、前記チャプター候補点間の時間が、所定の時間以下である場合、そのチャプター候補点間のテレビジョン放送が前記コマーシャルであると判定する
請求項１に記載の情報処理装置。
【請求項９】
前記無音区間検出手段は、前記テレビジョン放送の音声のレベルに対応する閾値を用いて、その閾値より音声のレベルが小さい区間を、前記無音区間として検出する
請求項１に記載の情報処理装置。
【請求項１０】
前記無音区間検出手段は、前記閾値を、前記テレビジョン放送の音声のレベルの最小値に基づいて設定する
請求項９に記載の情報処理装置。
【請求項１１】
テレビジョン放送に含まれるコマーシャルを検出する情報処理装置の情報処理方法において、
前記テレビジョン放送の無音区間を検出し、
前記テレビジョン放送の映像のシーンチェンジを検出し、
前記テレビジョン放送の映像が黒画またはブルー画であることを検出し、
前記無音区間の検出の結果と、前記シーンチェンジの検出の結果および前記黒画またはブルー画の検出の結果の少なくとも一方とに基づいて、前記コマーシャルの再生開始時刻または再生終了時刻を表すチャプター点の候補となるチャプター候補点を検出し、
前記チャプター候補点に基づいて、前記チャプター候補点間のテレビジョン放送が、前記コマーシャルであるか、または、番組であるかを判定し、前記チャプター候補点のうち、前記コマーシャルまたは前記番組の一方から他方へ変化する再生時刻を表すチャプター候補点を、前記チャプター点として決定する
ステップを含む情報処理方法。
【請求項１２】
テレビジョン放送に含まれるコマーシャルを検出する検出処理を、コンピュータに行わせるプログラムにおいて、
前記テレビジョン放送の無音区間を検出し、
前記テレビジョン放送の映像のシーンチェンジを検出し、
前記テレビジョン放送の映像が黒画またはブルー画であることを検出し、
前記無音区間の検出の結果と、前記シーンチェンジの検出の結果および前記黒画またはブルー画の検出の結果の少なくとも一方とに基づいて、前記コマーシャルの再生開始時刻または再生終了時刻を表すチャプター点の候補となるチャプター候補点を検出し、
前記チャプター候補点に基づいて、前記チャプター候補点間のテレビジョン放送が、前記コマーシャルであるか、または、番組であるかを判定し、前記チャプター候補点のうち、前記コマーシャルまたは前記番組の一方から他方へ変化する再生時刻を表すチャプター候補点を、前記チャプター点として決定する
ステップを含む検出処理をコンピュータに行わせるプログラム。
【請求項１３】
請求項１２に記載のプログラムが記録されている記録媒体。
【発明の詳細な説明】
【技術分野】
【０００１】
本発明は、情報処理装置および情報処理方法、プログラム、並びに記録媒体に関し、特に、テレビジョン放送に含まれるコマーシャルを確実に検出することができるようにした情報処理装置および情報処理方法、プログラム、並びに記録媒体に関する。
【背景技術】
【０００２】
例えば、録画されたテレビジョン放送を再生するとき、番組だけを連続して見たいというユーザの要望に対応して、コマーシャル（以下、ＣＭという）を早送り、またはカットする、いわゆるＣＭカット機能付き録画装置が存在する。
【０００３】
このような録画装置は、所定のＣＭ検出アルゴリズムでＣＭを検出し、そのＣＭの再生開始時刻と再生終了時刻をチャプター点として記憶しておき、そのチャプター点に基づいて、瞬時に、または高速に、ＣＭを早送り再生する。
【０００４】
ところで、従来のＣＭ検出アルゴリズムとしては、閾値を用いてテレビジョン放送の無音区間を判定し、その判定結果に基づいてＣＭを検出するものがある（例えば、特許文献１参照）。また、例えば、ＣＭの音声多重モードはステレオモードである、各ＣＭの開始時および終了時には0.1秒から2.0秒程度の無音区間が存在し、その無音区間には映像シーンが変化するシーンチェンジ点が存在する、各ＣＭの所要時間は15秒の整数倍である等のＣＭの特徴を考慮して、その特徴を有する区間をＣＭとして検出するＣＭ検出アルゴリズムもある。
【０００５】
さらに、欧米におけるテレビジョン放送では、番組とＣＭの間に、黒画またはブルー画のビデオフレームが存在するため、その特徴を有する区間をＣＭとして検出するＣＭ検出アルゴリズムもある。なお、以下では、特に断りのない限り、フレームとは、ビデオフレームのことを指す。
【０００６】
【特許文献１】特開２０００−１６５７９８公報
【発明の開示】
【発明が解決しようとする課題】
【０００７】
しかしながら、従来のＣＭ検出アルゴリズムでは、例えば、音声多重モードがモノラルモードであるＣＭのように、上述した特徴が含まれていないＣＭは検出することはできない。従って、例えば、ＣＭの所要時間が14秒の整数倍に変更される、欧米において、番組とＣＭの間への黒画やブルー画のフレームの挿入が廃止されるなどといったように、従来のＣＭ検出アルゴリズムにおいて用いられていたＣＭの特徴が変更または廃止される場合、従来のＣＭ検出アルゴリズムでは、ＣＭを検出することができなくなる。
【０００８】
また、欧州などでは、ＣＭの所要時間が15秒の整数倍であるとは限らないため、従来のＣＭ検出アルゴリズムでは、ＣＭを検出することが困難であり、逆に、番組の中に所要時間が15秒の整数倍であるという特徴が含まれていた場合、その部分をＣＭとして誤って検出してしまう。
【０００９】
以上により、ＣＭを確実に検出するためには、ＣＭ検出アルゴリズムで用いられるＣＭの特徴は、テレビジョン放送が放送される地域や、今後の動向によらず、普遍的であることが望ましい。
【００１０】
本発明はこのような状況に鑑みてなされたものであり、テレビジョン放送に含まれるＣＭを確実に検出することができることができるようにするものである。
【課題を解決するための手段】
【００１１】
本発明の一側面の情報処理装置は、テレビジョン放送に含まれるコマーシャルを検出する情報処理装置において、前記テレビジョン放送の無音区間を検出する無音区間検出手段と、前記テレビジョン放送の映像のシーンチェンジを検出するシーンチェンジ検出手段と、前記テレビジョン放送の映像が黒画またはブルー画であることを検出する黒画ブルー画検出手段と、前記無音区間検出手段による検出の結果と、前記シーンチェンジ検出手段による検出の結果および前記黒画ブルー画検出手段による検出の結果の少なくとも一方とに基づいて、前記コマーシャルの再生開始時刻または再生終了時刻を表すチャプター点の候補となるチャプター候補点を検出するチャプター候補点検出手段と、前記チャプター候補点に基づいて、前記チャプター候補点間のテレビジョン放送が、前記コマーシャルであるか、または、番組であるかを判定し、前記チャプター候補点のうち、前記コマーシャルまたは前記番組の一方から他方へ変化する再生時刻を表すチャプター候補点を、前記チャプター点として決定する決定手段とを備える。
【００１２】
本発明の一側面の情報処理装置においては、前記チャプター候補点検出手段は、前記無音区間内であり、かつ、前記シーンチェンジが検出された再生時刻を、前記チャプター候補点として検出することができる。
【００１３】
本発明の一側面の情報処理装置においては、前記チャプター候補点検出手段は、１つの前記無音区間内に、前記シーンチェンジが検出された再生時刻が複数ある場合、その複数の再生時刻のうちの１つの再生時刻を、前記チャプター候補点として検出することができる。
【００１４】
本発明の一側面の情報処理装置においては、前記チャプター候補点検出手段は、前記無音区間内であり、かつ、前記黒画または前記ブルー画が検出された再生時刻を、前記チャプター候補点として検出することができる。
【００１５】
本発明の一側面の情報処理装置においては、前記チャプター候補点検出手段は、１つの前記無音区間内に、前記黒画または前記ブルー画が検出された再生時刻が複数ある場合、その複数の再生時刻のうちの１つの再生時刻を、前記チャプター候補点として検出することができる。
【００１６】
本発明の一側面の情報処理装置においては、前記チャプター候補点検出手段は、さらに、前記無音区間内であり、かつ、前記シーンチェンジが検出された再生時刻を、前記チャプター候補点として検出することができる。
【００１７】
本発明の一側面の情報処理装置においては、前記チャプター候補点検出手段は、１つの無音区間の間に、前記黒画または前記ブルー画が検出された再生時刻もしくは前記シーンチェンジが検出された再生時刻が複数ある場合、その複数の再生時刻のうちの１つの再生時刻を、前記チャプター候補点として検出することができる。
【００１８】
本発明の一側面の情報処理装置においては、前記決定手段は、前記チャプター候補点間の時間が、所定の時間より長い場合、そのチャプター候補点間のテレビジョン放送が前記番組であると判定し、前記チャプター候補点間の時間が、所定の時間以下である場合、そのチャプター候補点間のテレビジョン放送が前記コマーシャルであると判定することができる。
【００１９】
本発明の一側面の情報処理装置においては、前記無音区間検出手段は、前記テレビジョン放送の音声のレベルに対応する閾値を用いて、その閾値より音声のレベルが小さい区間を、前記無音区間として検出することができる。
【００２０】
本発明の一側面の情報処理装置においては、前記無音区間検出手段は、前記閾値を、前記テレビジョン放送の音声のレベルの最小値に基づいて設定することができる。
【００２１】
本発明の一側面の情報処理方法は、テレビジョン放送に含まれるコマーシャルを検出する情報処理装置の情報処理方法において、前記テレビジョン放送の無音区間を検出し、前記テレビジョン放送の映像のシーンチェンジを検出し、前記テレビジョン放送の映像が黒画またはブルー画であることを検出し、前記無音区間の検出の結果と、前記シーンチェンジの検出の結果および前記黒画またはブルー画の検出の結果の少なくとも一方とに基づいて、前記コマーシャルの再生開始時刻または再生終了時刻を表すチャプター点の候補となるチャプター候補点を検出し、前記チャプター候補点に基づいて、前記チャプター候補点間のテレビジョン放送が、前記コマーシャルであるか、または、番組であるかを判定し、前記チャプター候補点のうち、前記コマーシャルまたは前記番組の一方から他方へ変化する再生時刻を表すチャプター候補点を、前記チャプター点として決定するステップを含む。
【００２２】
本発明の一側面のプログラムおよび記録媒体に記録されているプログラムは、テレビジョン放送に含まれるコマーシャルを検出する検出処理を、コンピュータに行わせるプログラムにおいて、前記テレビジョン放送の無音区間を検出し、前記テレビジョン放送の映像のシーンチェンジを検出し、前記テレビジョン放送の映像が黒画またはブルー画であることを検出し、前記無音区間の検出の結果と、前記シーンチェンジの検出の結果および前記黒画またはブルー画の検出の結果の少なくとも一方とに基づいて、前記コマーシャルの再生開始時刻または再生終了時刻を表すチャプター点の候補となるチャプター候補点を検出し、前記チャプター候補点に基づいて、前記チャプター候補点間のテレビジョン放送が、前記コマーシャルであるか、または、番組であるかを判定し、前記チャプター候補点のうち、前記コマーシャルまたは前記番組の一方から他方へ変化する再生時刻を表すチャプター候補点を、前記チャプター点として決定するステップを含む検出処理をコンピュータに行わせる。
【００２３】
本発明の一側面においては、テレビジョン放送の無音区間が検出され、テレビジョン放送の映像のシーンチェンジが検出され、テレビジョン放送の映像が黒画またはブルー画であることが検出され、無音区間の検出の結果と、シーンチェンジの検出の結果および黒画またはブルー画の検出の結果の少なくとも一方とに基づいて、コマーシャルの再生開始時刻または再生終了時刻を表すチャプター点の候補となるチャプター候補点が検出され、チャプター候補点に基づいて、チャプター候補点間のテレビジョン放送が、コマーシャルであるか、または、番組であるかが判定され、チャプター候補点のうち、コマーシャルまたは番組の一方から他方へ変化する再生時刻を表すチャプター候補点が、チャプター点として決定される。
【発明の効果】
【００２４】
以上のように、本発明の一側面によれば、テレビジョン放送に含まれるコマーシャルを確実に検出することができる。
【発明を実施するための最良の形態】
【００２５】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２６】
本発明の一側面の情報処理装置は、
テレビジョン放送に含まれるコマーシャルを検出する情報処理装置(例えば、図１の録画装置１０)において、
前記テレビジョン放送の無音区間を検出する無音区間検出手段(例えば、図２の無音検出部４３)と、
前記テレビジョン放送の映像のシーンチェンジを検出するシーンチェンジ検出手段（例えば、図２のシーンチェンジ検出部４１）と、
前記テレビジョン放送の映像が黒画またはブルー画であることを検出する黒画ブルー画検出手段（例えば、図２の黒画検出部４２）と、
前記無音区間検出手段による検出の結果と、前記シーンチェンジ検出手段による検出の結果および前記黒画ブルー画検出手段による検出の結果の少なくとも一方とに基づいて、前記コマーシャルの再生開始時刻または再生終了時刻を表すチャプター点の候補となるチャプター候補点を検出するチャプター候補点検出手段（例えば、図２のチャプター候補点検出部４５）と、
前記チャプター候補点に基づいて、前記チャプター候補点間のテレビジョン放送が、前記コマーシャルであるか、または、番組であるかを判定し、前記チャプター候補点のうち、前記コマーシャルまたは前記番組の一方から他方へ変化する再生時刻を表すチャプター候補点を、前記チャプター点として決定する決定手段（例えば、図２のチャプター点決定部４６）と
を備える。
【００２７】
本発明の一側面の情報処理方法は、
テレビジョン放送に含まれるコマーシャルを検出する情報処理装置（例えば、図１の録画装置１０）の情報処理方法において、
前記テレビジョン放送の無音区間を検出し（例えば、図７のステップＳ２８）、
前記テレビジョン放送の映像のシーンチェンジを検出し（例えば、図７のステップＳ２２）、
前記テレビジョン放送の映像が黒画またはブルー画であることを検出し（例えば、図７のステップＳ２５）、
前記無音区間の検出の結果と、前記シーンチェンジの検出の結果および前記黒画またはブルー画の検出の結果の少なくとも一方とに基づいて、前記コマーシャルの再生開始時刻または再生終了時刻を表すチャプター点の候補となるチャプター候補点を検出し（例えば、図７のステップＳ３０）、
前記チャプター候補点に基づいて、前記チャプター候補点間のテレビジョン放送が、前記コマーシャルであるか、または、番組であるかを判定し、前記チャプター候補点のうち、前記コマーシャルまたは前記番組の一方から他方へ変化する再生時刻を表すチャプター候補点を、前記チャプター点として決定する（例えば、図８のステップＳ４９）
ステップを含む。
【００２８】
以下、本発明を適用した具体的な実施の形態について、図面を参照しながら詳細に説明する。
【００２９】
図１は、本発明を適用した録画装置１０の一実施の形態の構成例について示している。
【００３０】
図１の録画装置１０は、チューナ１１、A/D（Analog/Digital）変換回路１２、データ圧縮回路１３、記録メディア１４、チャプター点検出回路１５、CPU（Central Processing Unit）１６、データ伸張回路１７、D/A（Digital/Analog）変換回路１８、モニタ１９、およびスピーカ２０により構成される。
【００３１】
チューナ１１は、図示せぬアンテナ端子を介して受信されるテレビジョン放送のＲＦ（Radio Frequency）信号を復調し、その結果得られる映像と音声のアナログ信号を、A/D変換回路１２に供給する。A/D変換回路１２は、チューナ１１から供給される、映像と音声のアナログ信号をデジタル信号に変換する。A/D変換回路１２は、その結果得られる映像のデジタル信号である映像データと、音声のデジタル信号である音声データを、データ圧縮回路１３とチャプター点検出回路１５に供給する。
【００３２】
データ圧縮回路１３は、A/D変換回路１２から供給される映像データと音声データからなる放送データを、所定の方式（例えば、MPEG2（Moving Picture Experts Group phase 2）方式）で圧縮符号化する。そして、データ圧縮回路１３は、圧縮符号化後の放送データを、所定の変調方法で変調（例えば、EFM(Eight to Fourteen)変調）する。データ圧縮回路１３は、変調の結果得られた変調信号を、ハードディスク、光ディスク、光磁気ディスク、磁気ディスク、半導体メモリなどの記録メディア１４に供給して記録させる。
【００３３】
チャプター点検出回路１５は、A/D変換回路１２から供給される映像データと音声データの特徴から、その映像データと音声データからなる放送データに対応するテレビジョン放送がＣＭであるか、または、番組であるかを判定する。チャプター点検出回路１５は、その判定結果に基づいて、ＣＭの再生開始時刻または再生終了時刻を表すチャプター点を決定し、CPU１６に通知する。
【００３４】
CPU１６は、チャプター点検出回路１５から通知されるチャプター点を記録メディア１４に供給し、放送データに対応付けて記録させる。また、ユーザによりＣＭカット機能がオンにされている場合、CPU１６は、ユーザから入力される再生の指令に対応して、記録メディア１４を制御し、まず最初に、記録メディア１４から再生対象とする放送データに対応するチャプター点を読み出す。次に、CPU１６は、そのチャプター点に基づいて、記録メディア１４を制御し、ＣＭが早送り再生されるように、再生対象とする放送データを読み出して、データ伸張回路１７に供給する。
【００３５】
一方、ユーザによりＣＭカット機能がオフにされている場合、CPU１６は、ユーザから入力される再生の指令に対応して、記録メディア１４を制御し、記録メディアから再生対象とする放送データを読み出して、データ伸張回路１７に供給する。
【００３６】
データ伸張回路１７は、記録メディア１４から読み出された放送データを、所定の変調方法で復調（例えば、EFM復調）する。そして、データ伸張回路１７は、復調後の放送データを、所定の方式（例えば、MPEG2方式）で復号し、その結果得られる放送データをD/A変換回路１８に供給する。
【００３７】
D/A変換回路１８は、デジタル信号である放送データを、アナログ信号である映像信号および音声信号に変換する。そして、D/A変換回路１８は、その映像信号をモニタ１９に供給するとともに、音声信号をスピーカ２０に供給する。
【００３８】
モニタ１９は、D/A変換回路１８から供給される映像信号に基づいて、テレビジョン放送の映像を表示する。スピーカ２０は、D/A変換回路１８から供給される音声信号に基づいて、テレビジョン放送の音声を出力する。
【００３９】
図２は、図１のチャプター点検出回路１５の詳細構成例を示している。
【００４０】
図２のチャプター点検出回路１５は、シーンチェンジ検出部４１、黒画検出部４２、無音検出部４３、計時部４４、チャプター候補点検出部４５、およびチャプター点決定部４６により構成される。
【００４１】
なお、図１のA/D変換回路１２から供給される映像データは、シーンチェンジ検出部４１と、黒画検出部４２に供給される。また、A/D変換回路１２から供給される音声データは、無音検出部４３に供給される。
【００４２】
シーンチェンジ検出部４１は、フレームメモリ（図示せず）を備えている。そのフレームメモリには、A/D変換回路１２から供給される１フレーム分の映像データが保持される。シーンチェンジ検出部４１は、A/D変換回路１２から供給されるフレーム単位の映像データ（以下、現フレーム映像データという）と、フレームメモリにより１フレーム時間（NTSC（National Television Standards Committee）方式の場合、1/30秒）だけ遅延されたフレーム単位の映像データ（以下、前フレーム映像データという)とを比較する。
【００４３】
シーンチェンジ検出部４１は、前フレーム映像データから現フレーム映像データへの変化の度合が、所定の閾値以上である場合、映像のシーンチェンジを検出する。シーンチェンジ検出部４１は、シーンチェンジを検出した場合、シーンチェンジの検出の有を表す情報として、例えば「１」をチャプター候補点検出部４５に出力し、シーンチェンジを検出しなかった場合、シーンチェンジの検出の無を表す情報として、例えば「０」をチャプター候補点検出部４５に出力する。
【００４４】
黒画検出部４２は、A/D変換回路１２から供給される現フレーム映像データの輝度レベルのフレーム単位の平均値と、予め決定されている閾値を比較する。黒画検出部４２は、その平均値が閾値以下である場合、現フレーム映像データの映像が黒画であることを検出する。黒画検出部４２は、現フレーム映像データが黒画であることを検出した場合、黒画の検出の有を表す情報として、例えば「１」をチャプター候補点検出部４５に出力し、黒画を検出しなかった場合、黒画の検出の無を表す情報として、例えば「０」をチャプター候補点検出部４５に供給する。
【００４５】
なお、黒画が連続して検出される場合、黒画検出部４２は、最初の黒画に対してのみ、「１」をチャプター候補点検出部４５に出力する。また、黒画検出部４２が比較に用いる平均値は、フレーム単位の平均値に限定されず、任意の単位の平均値とすることができる。
【００４６】
無音検出部４３は、A/D変換回路１２から供給される音声データのうちの、左側の音声データと右側の音声データのそれぞれのレベルの絶対値の、オーディオフレーム単位の平均値と、閾値とを、それぞれ比較する。
【００４７】
なお、この閾値は、A/D変換回路１２から供給される音声データのレベルの最小値に基づいて、無音検出部４３により設定され、その最小値に応じて適応的に変化される。例えば、最初は、より高い値に閾値が設定され、その後、A/D変換回路１２から供給された音声データのレベルの最小値が、その値よりも小さくなった場合には、その値に応じて、閾値が小さくされる。これにより、テレビジョン放送を放送する国や地域、テレビジョン放送の受信状態の違いに関わらず、テレビジョン放送の音声データのレベルの最小値に応じた最適な閾値を設定することができ、その結果、無音区間を確実に検出することができる。
【００４８】
無音検出部４３は、例えば左右両方の音声データにおける平均値が、閾値より小さい場合、その音声データに対応する１オーディオフレーム時間を、無音区間として検出する。そして、無音検出部４３は、無音区間を検出した場合、無音区間の有を表す情報として、例えば「１」をチャプター候補点検出部４５に出力し、無音区間を検出しなかった場合、無音区間の無を表す情報として、例えば「０」をチャプター候補点検出部４５に出力する。
【００４９】
なお、無音検出部４３の検出に用いられる平均値は、オーディオフレーム単位の平均値に限定されず、任意の単位の平均値とすることができる。
【００５０】
計時部４４は、A/D変換回路１２から映像データと音声データが供給されてから現在までの時間を計時し、その時間を再生時刻として、チャプター候補点検出部４５に供給する。
【００５１】
チャプター候補点検出部４５は、シーンチェンジ検出部４１から出力される値、または黒画検出部４２から出力される値と、無音検出部４３から出力される値とに基づいて、チャプター点の候補となるチャプター候補点を検出する。
【００５２】
具体的には、シーンチェンジ検出部４１から出力される値と、黒画検出部４２から出力される値がともに「１」である場合、即ち、無音区間内にシーンチェンジが検出された場合、または、黒画検出部４２から出力される値と、無音検出部４３から出力される値がともに「１」である場合、即ち、無音区間内に黒画が検出された場合の少なくとも一方の場合、チャプター候補点検出部４５は、計時部４４から供給される再生時刻を、チャプター候補点として検出する。そして、チャプター候補点検出部４５は、チャプター候補点の検出を表す情報として、例えば「１」を、チャプター候補点とともに、チャプター点決定部４６に供給する。
【００５３】
なお、シーンチェンジ検出部４１は、上述したように、前フレーム映像データを用いてシーンチェンジを検出しているため、検出結果を表す値が、シーンチェンジの発生より1フレーム分遅れて出力される。
【００５４】
従って、シーンチェンジ検出部４１から出力される値とともに、チャプター候補点の検出に用いられる無音検出部４３から出力される値は、そのシーンチェンジ検出部４１から出力される値に対応する無音検出部４３から出力された値より、1フレーム前に出力された値である。また、このとき検出されるチャプター候補点が表す再生時刻は、計時部４４から供給される再生時刻の1フレーム時間前の時刻である。
【００５５】
チャプター点決定部４６は、チャプター候補点検出部４５から供給される、隣接するチャプター候補点間の時間に基づいて、そのチャプター候補点間の放送データに対応するテレビジョン放送がＣＭであるか、または、番組であるかを判定する。そして、チャプター点決定部４６は、ＣＭまたは番組の一方から他方へ変化する再生時刻を表すチャプター候補点を、チャプター点として決定し、そのチャプター点をCPU１６（図１）に通知する。
【００５６】
次に、図３と図４を参照して、チャプター候補点検出部４５によるチャプター候補点の検出について説明する。なお、図３と図４において、横軸は再生時刻を表し、上向きの矢印は、シーンチェンジ検出部４１または黒画検出部４２による検出の有、または、チャプター候補点検出部４５により検出されるチャプター候補点を示している。
【００５７】
図３Ａに示すように、テレビジョン放送において、フレーム５１と、黒画のフレーム５２の間、黒画のフレーム５３と、フレーム５４の間、およびフレーム５５と５６の間でシーンチェンジが発生しており、図３Ｂに示すように、再生時刻ｔ0から再生時刻ｔ7までの間が無音である場合、図３Ｃに示すように、例えば、再生時刻ｔ0が含まれるフレーム５１の終了時刻である再生時刻ｔ1において、無音区間の検出が開始される。そして、再生時刻ｔ7が含まれるフレーム５７の終了時刻である再生時刻ｔ8において、無音区間の検出が終了される。即ち、再生時刻ｔ1からｔ7までの間、フレーム単位で無音区間が検出され、無音区間の検出の有を表す情報として、「１」がチャプター候補点検出部４５に出力される。
【００５８】
また、図３Ｄに示すように、シーンチェンジ検出部４１は、フレーム５２の終了時刻である再生時刻ｔ3において、黒画のフレーム５２と、その前のフレーム５１を用いて、フレーム５１と５２の間に発生したシーンチェンジを検出し、シーンチェンジの検出の有を表す情報として、「１」をチャプター候補点検出部４５に出力する。
【００５９】
同様に、図３Ｄに示すように、シーンチェンジ検出部４１は、フレーム５４の終了時刻である再生時刻ｔ4において、フレーム５３と５４の間に発生したシーンチェンジを検出し、フレーム５６の終了時刻である再生時刻ｔ6において、フレーム５５と５６の間に発生したシーンチェンジを検出し、「１」をチャプター候補点検出部４５に出力する。
【００６０】
さらに、黒画検出部４２は、黒画のフレーム５２の終了時刻である再生時刻ｔ2と、黒画のフレーム５３の終了時刻である再生時刻ｔ3において、現フレーム映像データの映像が黒画であることを検出するが、黒画のフレーム５２と５３は連続しているので、図３Ｅに示すように、黒画検出部４２は、先頭の黒画のフレーム５２の終了時刻である再生時刻ｔ2においてのみ、黒画の検出を表す情報として、「１」をチャプター候補点検出部４５に出力する。
【００６１】
以上のように、チャプター候補点検出部４５に無音区間、シーンチェンジ、または黒画の検出を表す情報として「１」が出力されると、チャプター候補点検出部４５は、図３Ｆに示すように、無音区間内であり、かつ、最初にシーンチェンジまたは黒画が検出された再生時刻ｔ2を、チャプター候補点として検出する。
【００６２】
具体的には、上述したように、シーンチェンジの検出の有を表す情報としての「１」は、１フレーム分遅れて出力されるので、チャプター候補点検出部４５は、まず最初に、図３Ｆに示すように、シーンチェンジが検出された再生時刻を、シーンチェンジ検出部４１から「１」が出力されたときの再生時刻ｔ4およびｔ6から、１フレーム時間前の再生時刻ｔ3およびｔ5に変更する。
【００６３】
次に、チャプター候補点検出部４５は、無音区間の有を表す情報としての「１」の出力が開始されたときの再生時刻ｔ1、および、終了したときの再生時刻ｔ8と、シーンチェンジが検出された変更後の再生時刻ｔ3およびｔ5、または、黒画の有を表す情報としての「１」が出力されたときの再生時刻ｔ2とに基づいて、無音区間内であり、かつ、シーンチェンジまたは黒画が検出された再生時刻ｔ2，ｔ3、およびｔ5を、チャプター候補点の候補として検出する。
【００６４】
そして、チャプター候補点検出部４５は、チャプター候補点の候補である再生時刻ｔ2，ｔ3、およびｔ5のうち、先頭の再生時刻ｔ2をチャプター候補点として検出する。
【００６５】
即ち、１つの無音区間内に、シーンチェンジまたは黒画が検出された再生時刻が複数ある場合、チャプター候補点検出部４５は、無音区間内のすべての再生時刻をチャプター候補点として検出すると、１つの無音区間に対応する１つのＣＭの開始時または終了時において、複数のチャプター候補点が存在してしまう。そして、１つのＣＭの開始時または終了時に複数のチャプター候補点が存在すると、チャプター点決定部４６は、隣接するチャプター候補点間の時間に基づいて、そのチャプター候補点間の放送データに対応するテレビジョン放送がＣＭであるか、または、番組であるかを正確に判定することができないという不都合が発生する。
【００６６】
従って、チャプター候補点検出部４５は、１つの無音区間内において、シーンチェンジまたは黒画が検出された先頭の再生時刻ｔ2のみをチャプター候補点として検出する。なお、１つの無音区間内において１つのチャプター候補点が検出されればよく、検出されるチャプター候補点は、先頭のものに限定されない。
【００６７】
また、図４Ａに示すように、テレビジョン放送において、フレーム６１と黒画のフレーム６２の間、黒画のフレーム６３と６４の間、およびフレーム６７と６８の間でシーンチェンジが発生しており、図４Ｂに示すように、再生時刻ｔ21から再生時刻ｔ23までの間、および、再生時刻ｔ26から再生時刻ｔ28までの間の２つの区間が無音である場合、図４Ｃに示すように、黒画のフレーム６２の終了時刻である再生時刻ｔ22と、シーンチェンジが発生した再生時刻ｔ27が、チャプター候補点として検出される。
【００６８】
具体的には、無音検出部４３は、再生時刻ｔ21が含まれるフレーム６２の終了時刻である再生時刻ｔ22から、再生時刻ｔ23が含まれるフレーム６３の終了時刻である再生時刻ｔ24までの間、および再生時刻ｔ26が含まれるフレーム６７の終了時刻である再生時刻ｔ27から、再生時刻ｔ28が含まれるフレーム６８の終了時刻である再生時刻ｔ29までの間、「１」をチャプター候補点検出部４５に出力する。
【００６９】
また、シーンチェンジ検出部４１は、フレーム６２の終了時刻である再生時刻ｔ22、フレーム６４の終了時刻であるｔ25、およびフレーム６８の終了時刻である再生時刻ｔ29において、それぞれ、フレーム６１と黒画のフレーム６２の間、黒画のフレーム６３と６４の間、フレーム６７と６８の間で発生したシーンチェンジを検出し、「１」をチャプター候補点検出部４５に出力する。
【００７０】
さらに、黒画検出部４２は、黒画のフレーム６２の終了時刻である再生時刻ｔ22と、黒画のフレーム６３の終了時刻である再生時刻ｔ24において、黒画を検出するが、黒画のフレーム６２と６３は連続しているので、先頭の黒画のフレーム６２の終了時刻である再生時刻ｔ22においてのみ、「１」をチャプター候補点検出部４５に出力する。
【００７１】
そして、チャプター候補点検出部４５は、無音検出部４３と、シーンチェンジ検出部４１または黒画検出部４２とから出力される「１」に基づいて、無音区間が検出された再生時刻ｔ22からｔ24までの時間内においてシーンチェンジまたは黒画が検出された先頭の再生時刻ｔ22と、無音区間が検出された再生時刻ｔ27からｔ29までの時間内においてシーンチェンジが検出された再生時刻ｔ29の１フレーム前の再生時刻ｔ27とを、チャプター候補点として検出する。
【００７２】
次に、図５を参照して、チャプター点決定部４６によるチャプター点の決定について説明する。なお、図５において、横軸は再生時刻を表し、上向きの矢印は、チャプター候補点またはチャプター点を示している。
【００７３】
図５Ａに示すように、再生時刻ｔ41乃至ｔ50がチャプター候補点として検出されている場合、チャプター点決定部４６は、まず最初に、隣接する２つのチャプター候補点間の時間が、予め設定された所定の時間（例えば、60秒）より長いかどうかを判定する。なお、この所定の時間としては、任意の値を設定することができる。
【００７４】
チャプター点決定部４６は、隣接する２つのチャプター候補点間の時間が、所定の時間より長いと判定した場合、チャプター候補点間の時間が長いと判定し、そのチャプター候補点間の放送データに対応するテレビジョン放送が番組であると判定する。一方、チャプター点決定部４６は、隣接する２つのチャプター候補点間の時間が、所定の時間以下であると判定した場合、チャプター候補点間の時間が短いと判定し、そのチャプター候補点間の放送データに対応するテレビジョン放送がＣＭであると判定する。
【００７５】
図５の例では、図５Ａに示すように、隣接するチャプター候補点である再生時刻ｔ41とｔ42の間の時間、再生時刻ｔ42とｔ43の間の時間、再生時刻ｔ47とｔ48の間の時間、および再生時刻ｔ48とｔ49の間の時間は長く、図５Ｂに示すように、チャプター点決定部４６は、これらの時間の放送データに対応するテレビジョン放送は番組であると判定する。
【００７６】
また、図５Ａに示すように、隣接するチャプター候補点である再生時刻ｔ43とｔ44の間の時間、再生時刻ｔ44とｔ45の間の時間、再生時刻ｔ45とｔ46の間の時間、再生時刻ｔ46とｔ47の間の時間、および再生時刻ｔ49とｔ50の間の時間は短く、図５Ｂに示すように、チャプター点決定部４６は、これらの時間の放送データに対応するテレビジョン放送はＣＭであると判定する。
【００７７】
次に、チャプター点決定部４６は、番組およびＣＭの一方から他方に変化する再生時刻を表すチャプター候補点を、チャプター点として決定する。具体的には、図５Ｃに示すように、チャプター点決定部４６は、番組からＣＭに変化する再生時刻ｔ43およびｔ49を表すチャプター候補点と、ＣＭから番組に変化する再生時刻ｔ47を表すチャプター候補点を、チャプター点として決定する。なお、チャプター点決定部４６は、テレビジョン放送の先頭の再生時刻ｔ41も、チャプター点として決定する。
【００７８】
以上のように、チャプター点決定部４６は、番組およびＣＭの一方から他方に変化する再生時刻を表すチャプター候補点を、チャプター点として決定するので、番組中やＣＭ中の再生時刻に、誤ってチャプター点を設定することを防止し、ＣＭの再生開始時刻または再生終了時刻に、確実にチャプター点を設定することができる。
【００７９】
次に、図６を参照して、図１の録画装置１０における録画処理について説明する。この録画処理は、例えば、図示せぬアンテナ端子が、録画対象とするテレビジョン放送のＲＦ信号を受信したとき、開始される。
【００８０】
ステップＳ１１において、チューナ１１は、図示せぬアンテナ端子を介して受信されたテレビジョン放送のＲＦ信号を復調し、その結果得られる映像と音声のアナログ信号を、A/D変換回路１２に供給する。ステップＳ１２において、A/D変換回路１２は、チューナ１１から供給される、映像と音声のアナログ信号に対してA/D変換を行い、その結果得られる映像データと音声データを、データ圧縮回路１３とチャプター点検出回路１５に供給する。
【００８１】
ステップＳ１３において、データ圧縮回路１３は、A/D変換回路１２から供給される映像データと音声データに対して、所定の方式での圧縮符号化、および、所定の変調方法での変調を行う。データ圧縮回路１３は、その結果得られた放送データの変調信号を、記録メディア１４に供給する。ステップＳ１４において、記録メディア１４は、データ圧縮回路１３から供給される、放送データの変調信号を記録し、処理は終了する。
【００８２】
次に、図７を参照して、図２のチャプター点検出回路１５におけるチャプター候補点検出処理について説明する。このチャプター候補点検出処理は、例えば、図６のステップＳ１２の処理で、図１のA/D変換回路１２から映像データと音声データがチャプター点検出回路１５に供給されたとき、開始される。
【００８３】
ステップＳ２１において、シーンチェンジ検出部４１は、シーンチェンジが発生したかどうか、即ち、前フレーム映像データから現フレーム映像データへの変化の度合が、所定の閾値以上であるかどうかを判定する。ステップＳ２１でシーンチェンジが発生したと判定された場合、ステップＳ２２において、シーンチェンジ検出部４１は、シーンチェンジを検出し、その検出の結果である検出の有を表す「１」をチャプター候補点検出部４５に出力する。
【００８４】
一方、ステップＳ２１で、シーンチェンジが発生していないと判定された場合、ステップＳ２３において、シーンチェンジ検出部４１は、シーンチェンジを検出せず、その検出の結果である検出の無を表す「０」をチャプター候補点検出部４５に出力する。
【００８５】
ステップＳ２２またはＳ２３の処理後、ステップＳ２４において、黒画検出部４２は、現フレーム映像データの映像が黒画であるかどうか、即ち、現フレーム映像データの輝度レベルのフレーム単位の平均値が閾値以下であるかどうかを判定する。ステップＳ２４で現フレーム映像データの映像が黒画であると判定された場合、ステップＳ２５において、黒画検出部４２は、現フレーム映像データの映像が黒画であることを検出し、その検出の結果である検出の有を表す「１」をチャプター候補点検出部４５に出力する。
【００８６】
一方、ステップＳ２４で、現フレーム映像データの映像が黒画ではないと判定された場合、ステップＳ２６において、黒画検出部４２は、現フレーム映像データの映像が黒画であることを検出せず、その検出の結果である検出の無を表す「０」をチャプター候補点検出部４５に出力する。
【００８７】
ステップＳ２５またはＳ２６の処理後、ステップＳ２７において、A/D変換回路１２から供給される音声データの音声が無音であるかどうか、即ち、A/D変換回路１２から供給される音声データのうちの、左側の音声データと右側の音声データのそれぞれのレベルの絶対値の、オーディオフレーム単位の平均値が、閾値より小さいかどうかを判定する。
【００８８】
ステップＳ２７で、音声が無音であると判定された場合、ステップＳ２８において、無音検出部４３は、その音声に対応する１オーディオフレーム時間を無音区間として検出し、その検出の結果である検出の有を表す「１」をチャプター候補点検出部４５に出力する。
【００８９】
一方、ステップＳ２７で、音声が無音ではないと判定された場合、ステップＳ２９において、無音検出部４３は、その音声に対応する１オーディオフレーム時間を無音区間として検出せず、その検出の結果である検出の無を表す「０」をチャプター候補点検定部４５に出力する。
【００９０】
ステップＳ２８またはＳ２９の処理後、ステップＳ３０において、チャプター候補点検出部４５は、シーンチェンジ検出部４１から出力される値、または黒画検出部４２から出力される値と、無音検出部４３から出力される値とに基づいて、無音区間内であり、かつ、最初にシーンチェンジまたは黒画が検出された再生時刻を、チャプター候補点として検出する。そして、チャプター候補点検出部４５は、そのチャプター候補点をチャプター点決定部４６に供給し、処理は終了する。
【００９１】
次に、図８を参照して、図１の録画装置１０におけるチャプター点決定処理について説明する。このチャプター点決定処理は、例えば、図１のA/D変換回路１２からのチャプター点検出回路１５への映像データと音声データの供給が開始されたとき、開始される。
【００９２】
ステップＳ４１において、チャプター点決定部４６は、内蔵するレジスタ（図示せず）に保持されている、後述するステップＳ４５で現チャプター候補点PTSとされるチャプター候補点の１つ前のチャプター候補点である前チャプター候補点Ｒを０に設定する。
【００９３】
ステップＳ４２において、チャプター点決定部４６は、現チャプター候補点PTSと、前チャプター候補点Ｒの間の放送データに対応するテレビジョン放送がＣＭであるか、または、番組であるかを表すモードである現モードＭ２と、その１つ前のモードである前モードＭ１をリセットする。即ち、チャプター点決定部４６は、現モードＭ２と前モードＭ１を０にする。
【００９４】
ステップＳ４３において、チャプター点決定部４６は、内蔵するレジスタに保持されている、後述するステップＳ４５の判定に用いられる設定時間Ｔを60秒に設定する。ステップＳ４４において、チャプター点決定部４６は、図７のステップＳ３０でチャプター候補点検出部４５から、新たなチャプター候補点が供給されたかどうかを判定する。
【００９５】
ステップＳ４４において、新たなチャプター候補点が供給されていないと判定された場合、処理は、ステップＳ４５乃至Ｓ５２をスキップして、ステップＳ５３に進む。一方、ステップＳ４４において、新たなチャプター候補点が供給されたと判定された場合、ステップＳ４５において、チャプター点決定部４６は、そのチャプター候補点を現チャプター候補点PTSとして、現チャプター候補点PTSから前チャプター候補点Ｒを減算した減算値が、設定時間Ｔ以下であるかどうかを判定する。
【００９６】
ステップＳ４５で、減算値が設定時間Ｔ以下ではない、即ち減算値が設定時間Ｔより長いと判定された場合、ステップＳ４６において、チャプター点決定部４６は、内蔵するレジスタに保持されている現モードＭ２を、番組であることを表す番組モードに設定する。例えば、チャプター点決定部４６は、現モードＭ２を、番組モードであることを表す情報としての「０」に設定する。
【００９７】
一方、ステップＳ４５で、減算値が設定時間Ｔ以下であると判定された場合、ステップＳ４７において、チャプター点決定部４６は、内蔵するレジスタに保持されている現モードＭ２を、ＣＭであることを表すＣＭモードに設定する。例えば、チャプター点決定部４６は、現モードＭ２を、ＣＭモードであることを表す情報としての「１」に設定する。
【００９８】
ステップＳ４６またはＳ４７の処理後、ステップＳ４８において、チャプター点決定部４６は、現モードＭ２と前モードＭ１が異なっているかどうかを判定する。ステップＳ４８で、現モードＭ２と前モードＭ１が異なっていると判定された場合、即ち、前チャプター候補点ＲがＣＭまたは番組の一方から他方へ変化する再生時刻を表す場合、ステップＳ４９において、チャプター点決定部４６は、前チャプター候補点Ｒを、チャプター点として決定し、CPU１６に通知する。
【００９９】
ステップＳ５０において、CPU１６は、放送データに対応付けて、チャプター点決定部４６から供給されるチャプター点を記録メディア１４に記録させる。ステップＳ５１において、チャプター点決定部４６は、内蔵するレジスタに保持されている前チャプター候補点Ｒを、現チャプター候補点PTSに変更する。
【０１００】
ステップＳ５２において、内蔵するレジスタに保持されている前モードＭ１を現モードＭ２に変更し、処理はステップＳ５３に進む。ステップＳ５３において、チャプター点決定部４６は、録画を終了するかどうか、即ち、A/D変換回路１２からの映像データと音声データの供給が停止されたかどうかを判定し、録画を終了しないと判定した場合、処理はステップＳ４４に戻り、上述した処理が繰り返される。ステップＳ５３において、録画を終了すると判定された場合、処理は終了する。
【０１０１】
以上のように、チャプター点決定部４６は、ＣＭの所要時間は番組の所用時間に比べて短いという、より普遍的な特徴を用いて、チャプター候補点間の時間が設定時間Ｔより長いかどうかに応じて、そのチャプター候補点間の放送データに対応するテレビジョン放送が番組であるか、または、ＣＭであるかを判定するので、設定時間Ｔとして最適な時間を設定することにより、その判定を的確に行うことができる。従って、番組およびＣＭの一方から他方に変化するチャプター候補点を、チャプター点として正確に決定することができる。
【０１０２】
その結果、録画装置１０においては、ユーザがＣＭカット機能をオンに設定して再生を指令することにより、ＣＭの部分を正確に早送り再生することができ、番組のみを容易に視聴したいというユーザの要望を満たすことが可能となる。
【０１０３】
なお、上述した説明では、黒画検出部４２は、黒画を検出したが、ブルー画を検出するようにしてもよい。また、黒画が連続して検出される場合、黒画検出部４２は、最初の黒画だけでなく、すべての黒画に対して「１」をチャプター候補点検出部４５に出力してもよい。
【０１０４】
また、図１の録画装置１０は、例えばIPTV（Internet Protocol TeleVision）などによるデジタルテレビジョン放送を受信する場合、チューナ１１を備えなくてもよい。さらに、図２のチャプター点検出回路１５は、シーンチェンジ検出部４１と黒画検出部４２のうちのいずれか一方が備えられていればよい。
【０１０５】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１０６】
図９は、上述した一連の処理をプログラムにより実行するコンピュータのハードウェアの構成例を示すブロック図である。
【０１０７】
コンピュータにおいて、CPU（Central Processing Unit）２０１，ROM（Read Only Memory）２０２，RAM（Random Access Memory）２０３は、バス２０４により相互に接続されている。
【０１０８】
バス２０４には、さらに、入出力インターフェース２０５が接続されている。入出力インターフェース２０５には、キーボード、マウス、マイクロホン、リモートコントローラから送信されてくる指令を受信する受信部などよりなる入力部２０６、ディスプレイ、スピーカなどよりなる出力部２０７、ハードディスクや不揮発性のメモリなどよりなる記憶部２０８、ネットワークインタフェースなどよりなる通信部２０９、磁気ディスク、光ディスク、光磁気ディスク、或いは半導体メモリなどのリムーバブルメディア２１１を駆動するドライブ２１０が接続されている。
【０１０９】
以上のように構成されるコンピュータでは、CPU２０１が、例えば、記憶部２０８に記憶されているプログラムを、入出力インターフェース２０５およびバス２０４を介して、RAM２０３にロードして実行することにより、上述した一連の処理が行われる。
【０１１０】
コンピュータのCPU２０１が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア２１１に記録して、あるいは、ローカルエリアネットワーク、インターネット、デジタル衛星放送といった、有線または無線の伝送媒体を介して提供される。
【０１１１】
そして、プログラムは、リムーバブルメディア２１１をドライブ２１０に装着することにより、入出力インターフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【０１１２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１１３】
また、本発明の実施の形態は、上述した実施の形態に限定されるものではなく、本発明の要旨を逸脱しない範囲において種々の変更が可能である。
【図面の簡単な説明】
【０１１４】
【図１】本発明を適用した録画装置の一実施の形態の構成例について示すブロック図である。
【図２】図１のチャプター点検出回路の詳細構成例を示すブロック図である。
【図３】チャプター候補点の検出について説明する図である。
【図４】チャプター候補点の検出について説明する他の図である。
【図５】チャプター点の決定について説明する図である。
【図６】録画装置における録画処理について説明するフローチャートである。
【図７】チャプター点検出回路におけるチャプター候補点検出処理について説明するフローチャートである。
【図８】録画装置におけるチャプター点決定処理について説明するフローチャートである。
【図９】コンピュータのハードウェアの構成例を示すブロック図である。
【符号の説明】
【０１１５】
１０  録画装置，  １５  チャプター点検出回路，  ４１  シーンチェンジ検出部，  ４２  黒画検出部，  ４３  無音検出部，  ４５  チャプター候補点検出部，  ４６  チャプター点決定部
【図１】
2008277967.tif 000003
【図２】
2008277967.tif 000004
【図３】
2008277967.tif 000005
【図４】
2008277967.tif 000006
【図５】
2008277967.tif 000007
【図６】
2008277967.tif 000008
【図７】
2008277967.tif 000009
【図８】
2008277967.tif 000010
【図９】
2008277967.tif 000011